(57)【要約】【課題】構造が簡単で重量が軽く、安価で且つ長寿命で、看板等の表示装置や直接又は間接照明装置に好適な導光器、及び導光器を用いた照明装置、看板等の表示装置を提供すること。【解決手段】両辺が中間部に対して湾曲して立上がり湾曲面を形成した薄板からなる反射板１２と、該反射板の湾曲内面に対向して配置した光拡散板１３を備え、反射板１２の前記両辺の１辺が前記中間部内面に対して９０度以上で湾曲しており、他辺が９０度以下で湾曲し、前記１辺近傍に単数又は複数の発光ダイオード１４をその発する光の少なくとも一部が該反射板１２の湾曲内面１２ａで反射され、光拡散板１３に到達するように配置すると共に、該反射板１２の湾曲内面１２ａは反射された光が光拡散板面１３に到達するようにした。【選択図】図３
2009252447.tif 000002
【特許請求の範囲】
【請求項１】
両辺が中間部に対して湾曲して立上がり湾曲面を形成した薄板からなる反射板と、該反射板の中間部内面に対向して配置した光拡散板を備え、
前記反射板の前記両辺の１辺が前記中間部内面に対して９０度以上で湾曲しており、他辺が９０度以下で湾曲し、前記１辺近傍に単数又は複数の発光ダイオードをその発する光の少なくとも一部が該反射板の湾曲内面で反射され、前記光拡散板に到達するように配置すると共に、該反射板の湾曲内面で反射された光が前記光拡散板面に到達するようにしたことを特徴とする導光器。
【請求項２】
両辺が中間部に対して湾曲して立上がり湾曲面を形成した薄板からなる反射板を複数枚互いに隣接させて配列した構成の反射板列と、該反射板列の各反射板の中間部内面に対向して配置した光拡散板を備え、
前記反射板列の各前記反射板の前記両辺の１辺が前記中間部内面に対して９０度以上で湾曲しており、他辺が９０度以下で湾曲し、前記１辺近傍に単数又は複数の発光ダイオードをその発する光の少なくとも一部が該反射板の湾曲内面で反射され、前記光拡散板に到達するように配置すると共に、該反射板列の湾曲内面で反射された光が前記光拡散板面に到達するようにしたことを特徴とする導光器。
【請求項３】
請求項１又は２に記載の導光器において、
前記反射板の両辺頂上部分と前記光拡散板との間に空間を設けたことを特徴とする導光器。
【請求項４】
請求項１又は２に記載の導光器において、
前記発光ダイオードの光軸は前記光拡散板面の垂直線に対して９０度以上の角度を有することを特徴とする導光器。
【請求項５】
請求項１又は２に記載の導光器において、
前記発光ダイオードに光照射角度９０度以上の表面実装型発光ダイオードを使用することを特徴とする導光器。
【請求項６】
請求項１又は２に記載の導光器において、
前記反射板の前記発光ダイオードが配置される前記１辺の頂上部に折り返し部を設けたことを特徴とする導光器。
【請求項７】
請求項１乃至６のいずれか１項に記載の導光器を一台又は複数台備え、該導光器の前記光拡散板から放射された光を照明光として被照射部に直接又は間接に照明することを特徴とする照明装置。
【請求項８】
請求項１乃至６のいずれか１項に記載の導光器を一台又は複数台備え、該導光器の前記光拡散板から放射された光を面光源として使用することを特徴とする表示装置。
【発明の詳細な説明】
【技術分野】
【０００１】
本発明は、所定の間隔で直線状に配列した発光ダイオードからの光を所定面上に均一に導くことができる導光器、及び該導光器を面光源として使用する照明装置、表示装置に関するものである。
【背景技術】
【０００２】
従来、照明装置や看板等の表示装置に使用する面光源としは、図１に示すように多数個の発光ダイオード１０２を用いた面光源装置がある。本面光源装置１００は上部が開口したケース１０１の底部に発光ダイオード１０２を所定の間隔で多数個配置し実装した構成となっている。このような構成の面光源装置１００のケース１０１の発光ダイオード１０２の実装面１０１ａを被照射体（図示せず）に対向して配置し、発光ダイオード１０２から発せられる光を導光板を用いないで直接被照射体に照射している。
【０００３】
上記構成の面光源装置１００において、発光ダイオード１０２の実装面１０１ａからケース１０１の高さ距離Ｄ１の位置（ケース開口面位置）における照度を一定に保つため、点光源である発光ダイオード１０２を高さ距離Ｄ１と等しい又はそれ以下の隣接間隔で配置していた。この方法の場合、点光源である発光ダイオード１０２の数を距離Ｄ１により決定せざるを得ず、発光ダイオード１０２を削減することができなかった。また、隣接間隔を距離Ｄ１より大きくすると発光ダイオード１０２の数を減らすことはできるが、距離Ｄ１での（ケース開口面位置での）照度が減少するため、隣接間隔を距離Ｄ１より小さい寸法で発光ダイオード１０２を配置実装しなければならず、コスト高になるという問題もある。
【０００４】
また、このような面光源の一つとして、特許文献１に記載された面光源がある。この面光源１１０は図２に示すように、端面に配置された照明灯１１２から入射される光を第１平面１１１ａから出射させる導光板１１１を備え、第１平面１１１ａと反対の第２平面１１１ｄに、互いに平行な頂線Ｔと谷線Ｖとが交互に存在し、谷線Ｖが第１平面１１１ａと平行な第１仮想平面Ａ１内にほぼ存在し、頂線Ｔが第１平面１１１ａと平行で第１平面１１１ａに対して第１平面１１１ａより離れた第２仮想面Ａ２内にほぼ存在するプリズムアレイが形成され、第２平面１１１ｄを頂線Ｔとほぼ平行な線で第１領域と第２領域とほぼ２等分したときに一方の領域内のプリズムアレイについて、該プリズムアレイの各プリズムの一方側の面と第２仮想面Ａ２とのなす角度αが、空気に対する該導光板１１１の臨界角にほぼ等しく、該プリズムアレイの各プリズムの他方側の面と第２仮想面Ａ２とのなす角度βが角度αより小さくなるように構成している。なお、１１４は拡散板、１１３は透光型液晶表示パネルである。
【０００５】
上記特許文献１の面光源１１０は導光板１１１にプリズムアレイを形成する等の複雑な構成となり、コスト高になると同時に、重量が重く、且つ光源に照明灯１１２を用いるため寿命が短いという問題がある。
【０００６】
更に、山型形状の湾曲面反射材を有する面光源の一つとして、特許文献２に記載された面光源がある。
【０００７】
また、上記特許文献２に記載の面光源は光源に対向する拡散板の下面に光が到達する構成ではない。そのため、拡散板全体を照射することができないという問題点がある。
【特許文献１】特開平８−９４８４４号公報
【特許文献２】特開２００６−２８４６３１号公報
【発明の開示】
【発明が解決しようとする課題】
【０００８】
本発明は上述の点に鑑みてなされたもので、構造が簡単で重量が軽く、安価で且つ長寿命で、看板等の表示装置や直接又は間接照明装置に好適な導光器、及び導光器を用いた照明装置、看板等の表示装置を提供することを目的とする。
【課題を解決するための手段】
【０００９】
上記課題を解決するため本発明は、両辺が中間部に対して湾曲して立上がり湾曲面を形成した薄板からなる反射板と、該反射板の中間部内面に対向して配置した光拡散板を備え、前記反射板の前記両辺の１辺が前記中間部内面に対して９０度以上で湾曲しており、他辺が９０度以下で湾曲し、前記１辺近傍に単数又は複数の発光ダイオードをその発する光の少なくとも一部が該反射板の湾曲内面で反射され、前記光拡散板に到達するように配置すると共に、該反射板の湾曲内面で反射された光が前記光拡散板面に到達するようにしたことを特徴とする導光器にある。
【００１０】
導光器に上記構成を採用することにより、反射板の１辺近傍に配列された発光ダイオードから発する光の一部は直接光拡散板面に到達し、一部は反射板の湾曲内面で反射され、光拡散板面に到達するから、該光拡散板はその面から光が放射される面光源となる。同時に、本構成の導光器では発光ダイオードの配置された部分の非発光部分の多くを反射板で覆うと共に、発光ダイオードを配置している１辺を９０度以上湾曲させているので、前記光拡散板方向から見た発光ダイオード配置面積が小さくなり、導光器内部の反射特性を改善することができる。なお、光拡散板面で光が均一となるように反射板の湾曲面を形成すると共に、反射板を構成する材料を選定する。反射板を構成する材料としては、到達した光を効率良く光拡散板に向けて反射させる材料で、例えば全反射率９０％以上、拡散反射率９０％以上の発泡樹脂材からなる発泡光反射板を使用する。
【００１１】
また、本発明は両辺が中間部に対して湾曲して立上がり湾曲面を形成した薄板からなる反射板を複数枚互いに隣接させて配列した構成の反射板列と、該反射板列の各反射板の中間部内面に対向して配置した光拡散板を備え、前記反射板列の各前記反射板の前記両辺の１辺が前記中間部内面に対して９０度以上で湾曲しており、他辺が９０度以下で湾曲し、前記１辺近傍に単数又は複数の発光ダイオードをその発する光の少なくとも一部が該反射板の湾曲内面で反射され、前記光拡散板に到達するように配置すると共に、該反射板列の湾曲内面で反射された光が前記光拡散板面に到達するようにしたことを特徴とする導光器にある。
【００１２】
導光器に上記構成を採用することにより、反射板列の各反射板の１辺近傍に配列された発光ダイオードから発する光の一部は直接光拡散板に到達し、一部は当該反射板の湾曲内面を含む反射板列の他反射板の湾曲内面で反射され、光拡散板面に到達するから、各反射板に跨る光拡散板はその面から光が放射される面光源となる。同時に、本構成の導光器では発光ダイオードの配置された部分の非発光部分の多くを反射板で覆うと共に、発光ダイオードを配置している１辺を９０度以上湾曲させているので、前記光拡散板方向から見た発光ダイオード配置面積が小さくなり、導光器内部の反射特性を改善することができる。なお、光拡散板面で均一となるように反射板の湾曲面を形成すると共に、反射板を構成する材料を選定する。反射板を構成する材料としては、到達した光を効率良く光拡散板に向けて反射させる材料で、例えば全反射率９０％以上、拡散反射率９０％以上の発泡樹脂材からなる発泡光反射板を使用する。
【００１３】
また、本発明は上記導光器において、前記反射板の両辺頂上部分と前記光拡散板との間に空間を設けたことを特徴とする。
【００１４】
導光器に上記構成を採用することにより、発光ダイオードから発する光の一部が隣接する反射板へ到達させることができるので、発光ダイオードを配置した部分に対向した光拡散板の部分にも光を到達させることができる。
【００１５】
また、本発明は上記導光器において、前記発光ダイオードの光軸は前記光拡散板面の垂直線に対して９０度以上の角度を有することを特徴とする。
【００１６】
上記のように、発光ダイオードの光軸は光拡散板面の垂直線に対して９０度以上の角度を有することにより、極端に輝度の高い光が光拡散板に到達しないので、光拡散板に光のムラが生じることを防ぐことができる。
【００１７】
また、本発明は上記導光器において、前記発光ダイオードに光照射角度９０度以上の表面実装型発光ダイオードを使用することを特徴とする。
【００１８】
上記のように発光ダイオードに光照射角度が９０度以上の表面実装型発光ダイオードを使用することにより、１個の光照射角度９０度以上の表面実装型発光ダイオードから発せられる光は、反射板の湾曲内面の広い面で反射されることになるから、少ない発光ダイオードで光拡散板面から均一な光を放射させることができる。
【００１９】
また、本発明は上記導光器において、前記反射板の前記発光ダイオードが配置される前記１辺の頂上部に折り返し部を設けたことを特徴とする。
【００２０】
上記のように反射板の発光ダイオードが配置される反射板の１辺の頂上部に折り返し部を設けたことにより、発光ダイオード配置部分を反射板によって確実に覆うことができるので、光拡散板面から均一な光を放射させることができる。更に、この折り返し部に隣接する反射板の発光ダイオードを配置しない他辺を挿入することにより、反射板の連結、組み立て、メンテナンスを容易にすると共に、反射板頂上部と拡散板との間の空間を確実に維持することができる。
【００２１】
また、本発明は導光器を一台又は複数台備え、該導光器の前記光拡散板から放射された光を照明光として被照射部に直接又は間接に照明することを特徴とする。
【００２２】
上記のように導光器の光拡散板から放射された光を照明光として被照射部に直接又は間接に照明するので、均一な面光源から発する照射光で被照射部を照射する直接又は間接照明が実現できる。
【００２３】
また、本発明は上記構成の導光器を一台又は複数台備え、該導光器の前記光拡散板から放射された光を面光源として使用することを特徴とする表示装置にある。
【００２４】
上記のように導光器の光拡散板から放射された光を表示装置の面光源として使用するので、均一な面光源を備えた表示装置が実現できる。
【発明の効果】
【００２５】
請求項１に記載の発明によれば、反射板が湾曲状に形成された薄板からなるので、簡単な構成で且つ重量の軽い導光器を提供できる。また、発光ダイオードは反射板の中間部内面に対して９０度以上で湾曲した１辺近傍に配置するだけで済むので発光ダイオードの個数を大幅に削減できる。よって、構造が簡単で重量が軽く、安価で且つ長寿命の導光器を提供できる。
【００２６】
請求項２に記載の発明によれば、薄板からなる反射板を複数枚互いに隣接させて配列した構成の反射板列を構成するので、広い面積の光拡散板を備えた導光器を簡単な構成で且つ重量が軽く提供できる。また、発光ダイオードは反射板列の各反射板の中間部内面に対して９０度以上で湾曲した１辺近傍に配置するだけで済むので広い面積の光拡散板を備えた導光器を発光ダイオードの個数を大幅に削減して提供できる。よって、構造が簡単で重量が軽く、安価で且つ長寿命の広い面積の光拡散板を備えた導光器を提供できる。
【００２７】
請求項３に記載の発明によれば、反射板の頂上部分と光拡散板との間に空間を設けたので、隣接する反射板やそれに対向する光拡散板の領域へ光を到達させることができるので、少ない発光ダイオードで光拡散板面から均一な光が放射される導光器を安価に提供できる。
【００２８】
請求項４に記載の発明によれば、発光ダイオードの光軸は光拡散板面の垂直線に対して９０度以上の角度を有するので、極端に輝度が高い光が光拡散板に到達しないので、光拡散板に光のムラが生じることを防ぎ、光拡散板面から均一な光が放射される導光器を安価に提供できる。
【００２９】
請求項５に記載の発明によれば、発光ダイオードに光照射角度９０度以上の表面実装型発光ダイオードを使用するので、少ない発光ダイオードで光拡散板面から均一な光が放射される導光器を安価に提供できる。
【００３０】
請求項６に記載の発明によれば、反射板の発光ダイオードが配置される１辺の頂上部に折り返し部を設けたので、発光ダイオード配置部分を反射板によって確実に覆うことができ、光拡散板から均一な光を放射する導光器を安価に提供できる。更に、折り返し部に隣接する反射板の発光ダイオードを配置しない１辺を挿入することにより、反射板の連結、組み立て、メンテナンスが容易になると共に、反射板両頂上部と光拡散板との間の空間を確実に維持できる導光器を安価に提供できる。
【００３１】
請求項７に記載の発明によれば、導光器の光拡散板から放射された光を照明光として被照射部に直接又は間接に照明するので、構造が簡単で安価で且つ長寿命の直接又は間接照明装置を実現できる。
【００３２】
請求項８に記載の発明によれば、導光器の光拡散板から放射された光を面光源として使用するので、表示装置の面光源を構造が簡単で安価で且つ長寿命で実現できる。
【発明を実施するための最良の形態】
【００３３】
以下、本願発明の実施の形態例を図面に基づいて説明する。図３乃至図５は本発明に係る導光器の構成例を示す図で、図３（ａ）は光拡散板を除去した平面図、図３（ｂ）は断面図（（ａ）のＡ−Ａ断面に相当）、図４は反射板の断面図、図５は図３（ａ）のＡ−Ａ拡大断面図である。本導光器１０はケース１１と反射板１２と光拡散板１３を具備する構成である。ケース１１は平面が長方形形状で、有底で四方に側壁を備えた構成であり、全体が遮光体で構成される。反射板１２は長方形状の薄板からなり、図４に示すように両長辺の１辺１２ａが中間部１２ｂの内面（図では上面）に対して９０度以上で折り曲げて湾曲させ、他辺１２ｃが９０度以下で折り曲げて湾曲させた形状で、全内面で光を反射させる湾曲面１２ｆを形成した構成である。また、９０度以上で湾曲させ１辺１２ａの頂上部には該反射板１２の端部を折り返して形成した折返し部１２ｄが形成されている。
【００３４】
反射板１２の上記９０度以上で湾曲させた１辺１２ａに隣接してダイオード実装基板１５が設置され、該ダイオード実装基板１５には複数個の発光ダイオード１４が所定の間隔で配置実装されている。発光ダイオード１４はその光放射部が図６に示すように反射板１２を貫通して、湾曲内面１２ｆに露出している。発光ダイオード１４には、図６に示すように、拡角の光Ｌのビームを発する光照射角度αが９０度以上（α≧９０°）の表面実装型の発光ダイオード１４を使用する。また、発光ダイオード１４の光軸Ｌｘの光拡散板１３の内面１３ａ（図では下面）の垂直線γに対する角度βは９０度以上（β≧９０°）としている。
【００３５】
発光ダイオード１４の光放射部から放射される光Ｌの一部は直接光拡散板１３の内面１３ａに到達し、一部は反射板１２の湾曲内面１２ｆに照射され、該湾曲内面１２ｆで反射された光は光拡散板１３の内面１３ａに到達する。ここで光拡散板１３の内面１３ａには発光ダイオード１４から直接到達する光と反射板１２の湾曲内面１２ｆで反射されて到達する光をあわせ、全面均一に到達するように、反射板１２を構成する材料の材質を選定すると共に、反射板１２の湾曲内面１２ｆの形状を設定する。これにより光拡散板１３の外面（図では上面）は均一光を放射する面光源となる。反射板を構成する材料としては、薄板で湾曲形状に形成することが容易で、到達した光を効率良く光拡散板に向けて反射させる材料で、例えば全反射率９０％以上、拡散反射率９０％以上の発泡樹脂材からなる発泡光反射板を使用する。なお、反射板１２の両長辺頂上部分と光拡散板１３の内面との間に間隙を設けた空間を形成している。
【００３６】
上記のように発光ダイオード１４に光照射角度αが９０度以上（α≧９０°）の表面実装型の発光ダイオード１４を使用することにより、少ない発光ダイオード１４で導光器１０の光拡散板１３の外表面から均一な光が放射される。また、発光ダイオード１４の光軸Ｌｘの光拡散板１３の内面１３ａの垂直線γに対する角度βを９０度以上（β≧９０°）とすることにより、極端に輝度が高い光が光拡散板１３の内面１３ａに到達しないので、光拡散板１３の外表面に光のムラを生じることがない。また、上記のように反射板１２の両長辺頂上部分と光拡散板１３の内面との間に間隙を設けた空間を形成するので、反射板１２の湾曲内面１２ｆで反射された光は光拡散板１３の縁部や隅部まで均一に到達し、光拡散板１３の外表面全体が均一の面光源となる。
【００３７】
上記のように、導光器１０はケース１１、薄板の湾曲形状の反射板１２、光拡散板１３、ダイオード実装基板１５等で構成されるから、極めて簡単な構造となり、構成部材の加工及び組み立てが容易となる。また、全体が軽量となるため、簡単な取付部材で取り付けることが可能となる。なお、上記のようにケース１１内に１枚の反射板１２を配置して構成した導光器１０の場合は、反射板１２の１辺頂上部の折返し部１２ｄは必ずしも必要でなく、場合によって除去してもよい。
【００３８】
図７及び図８は本発明に係る導光器の構成例を示す図で、図７（ａ）は光拡散板を除去した平面図、図７（ｂ）は断面図（（ａ）のＢ−Ｂ断面に相当）、図８は図７（ａ）のＢ−Ｂ拡大断面図である。本導光器２０はケース２１と複数枚（図では４枚）の反射板２２と１枚の光拡散板２３を具備する構成である。ケース２１は平面が矩形形状であり、有底で四方に側壁を備えた構成であり、全体が遮光体で構成される。各反射板２２は図４に示す反射板１２と同一構成で、図９に示すように、１辺２２ａ、中間部２２ｂ、他辺２２ｃを有し全内面で光を反射させる湾曲内面２２ｆを形成する形状である。また、９０度以上で湾曲させた１辺２２ａの頂上部には折返し部２２ｄが形成されている。隣接する反射板２２、２２間では一方の反射板２２の１辺２２ａの折返し部２２ｄに他方の反射板２２の他辺２２ｃが挿入され、多数の反射板２２を連結して、反射板列を構成している。反射板列の各反射板１１の湾曲内面２２ｆがケース２１の開口に向いて該ケース２１内に収容配置されている。
【００３９】
反射板２２の折返し部２２ｄが形成された１辺２２ａの近傍にダイオード実装基板２５が設置され、該ダイオード実装基板２５には単数若しくは複数個の発光ダイオード２４が所定の間隔で配置実装されている。発光ダイオード２４はその光放射部が図９に示すように反射板２２を貫通して、湾曲内面２２ｆに露出している。発光ダイオード２４及びその配置部分は当該発光ダイオードが実装された反射板２２の折返し部２２ｄが形成された１辺２２ａと隣接する反射板２２の折返し部２２ｄが形成されない他端２２ｃに覆われている。発光ダイオード２４には、図６に示すように拡角の光Ｌのビームを発する光照射角度９０度以上の表面実装型の発光ダイオード２４を使用する点は、図３乃至図５に示す導光器と同様である。また、各反射板２２の辺２２ａの頂上部と光拡散板２３の内面２３ａの間には間隙Ｇ（図８参照）の空間を設けている。
【００４０】
各反射板２２の上記１辺２２ａに隣接して配置された発光ダイオード２４の光放射部から放射される光Ｌの一部は直接光拡散板２３の内面２３ａに到達し、一部は当該反射板２２の湾曲内面２２ｆに到達し、該湾曲内面２２ｆで反射された光は拡散板２３の内面２３ａに到達する。また、放射される光Ｌの一部は隣接する反射板２２を通して光拡散板２３の内面２３ａに到達する。ここで光拡散板２３の内面２３ａに全面均一に光が到達するように、各反射板２２の湾曲内面２２ｆの形状を設定し、各反射板２２を構成する材料を選定する。これにより面積の広い光拡散板２３の外表面（図では上面）は均一光を放射する面光源となる。また、各反射板２２の折返し部２２ｄが形成された辺２２ａの頂上部と光拡散板２３の内面２３ａの間には間隙Ｇの空間を設けたので、隣接する反射板２２やそれに対向する光拡散板２３の内面２３ａの領域に光が到達することができるので、光拡散板２３の外表面から均一な光が放射されるようになる。また、反射板２２を構成する材料としては、反射板１２と同様、薄板で湾曲形状に形成することが容易で、到達した光を効率良く光拡散板２３に向けて反射させる材料で、例えば全反射率９０％以上、拡散反射率９０％以上の発泡樹脂材からなる発泡光反射板を使用する。
【００４１】
上記のように、導光器２０はケース２１、薄板の湾曲形状の複数枚の反射板２２、光拡散板２３、複数のダイオード実装基板２５等で構成されるから、光を放射する光放射面積（光拡散板２３の外側面積）が大きいにも係らず極めて簡単構造となり、構成部材の加工及び組み立てが容易となる。また、全体が軽量となるため、簡単な取付部材で取り付けることが可能となる。
【００４２】
なお、上記実施形態例では、反射板１２、２２の折返し部１２ｄ、２２ｄを形成した１辺１２ａ、２２ａを中間部１２ｂ、２２ｂの内面に対して９０度以上湾曲させたが、これはこの１辺１２ａ、２２ａの発光ダイオード１４が露出する面、即ち湾曲内面１２ｆ、２２ｆのうち発光ダイオード１４が露出する部分の面が光拡散板１３、２３の方向から見えないようにし、該光拡散板１３、２３の方向から見た発光ダイオード１４の配置面積を小さくすることにより、導光器１０内部の反射特性を改善したものである。即ち、導光器１０内部の反射特性を改善を改善するために、発光ダイオード１４が露出する１辺１２ａ、２２ａ近傍の内面（図５の内面１２ｇ、図９の内面２２ｇ）が光拡散板１３、２３の方向から見て見えないように、１辺１２ａ、２２ａを中間部１２ｂ、２２ｂの内面に対し湾曲させたのである。
【００４３】
図１０は天井面３１や壁面３２に導光器１０又は導光器２０を光拡散板１３又は光拡散板２３を室内に向けて配置し、光拡散板１３又は光拡散板２３から放射される光で室内を照明する直接照明装置としての概略例を示す図である。ここで特に複数の反射板２２を互いに隣接して並べて配置した構成の導光器２０を用いれば、広い面積の光拡散板２３から放射される軟らかい光で室内を照明することが可能となる。また、光拡散板２３の表面に写真等の絵柄模様を施すことにより、これら絵柄模様で装飾された側面照明が可能となる。また、図示は省略するが、導光器１０又は導光器２０の光拡散板１３又は光拡散板２３から放射される光を天井面３１や壁面３２に照射し、該天井面３１や壁面３２で反射される光で室内を照明する間接照明装置としてもよい。  
【００４４】
図１１は導光器１０又は導光器２０を表示装置として看板に用いた例を示す図で、図１１（ａ）は正面図、図１１（ｂ）は側面図である。図に示すように、文字や絵柄を描いた透光性材料からなる看板３３を導光器１０又は導光器２０の光拡散板１３又は光拡散板２３外面に取付けることにより、該光拡散板１３又は光拡散板２３から放射される光で看板に描かれた文字や絵柄が表示される。また、大きい面積の光拡散板２３を有する導光器２０もその重量を軽くできるから、建物や建造物の壁面に容易に取付けることが可能である。  また、光拡散板１３又は２３に文字や絵柄を直接描くことにより、看板３３と一体化することによって、構造を簡略化することも可能である。
【００４５】
以上、本発明の実施形態を説明したが、本発明は上記実施形態に限定されるものではなく、特許請求の範囲、及び明細書と図面に記載された技術的思想の範囲内において種々の変形が可能である。例えば、ビルや建物の外壁や、種々のイベントの照明や装飾等、本発明に係る導光器は広い分野への利用が可能となる。
【図面の簡単な説明】
【００４６】
【図１】従来の面光源の概略構成例を示す図である。
【図２】従来の面光源の概略構成例を示す図である。
【図３】本発明に係る導光器の概略構成例を示す図である。
【図４】本発明に係る導光器に用いる反射板の構成例を示す断面図である。
【図５】本発明に係る導光器の図３（ａ）のＡ−Ａ拡大断面図である。
【図６】表面実装型発光ダイオードの光ビームの放射状態を示す概略図である。
【図７】本発明に係る導光器の概略構成例を示す図である。
【図８】本発明に係る導光器の図７（ａ）のＢ−Ｂ拡大断面図である。
【図９】本発明に係る導光器に用いる反射板の構成例を示す断面図である。
【図１０】本発明に係る導光器を用いた照明装置の構成例を示す図である。
【図１１】本発明に係る導光器を用いた表示装置（看板）の構成例を示す図である。
【符号の説明】
【００４７】
１０    導光器
１１    ケース
１２    反射板
１３    光拡散板
１４    発光ダイオード
１５    ダイオード実装基板
２０    導光器
２１    ケース
２２    反射板
２３    光拡散板
２４    発光ダイオード
２５    ダイオード実装基板
３１    天井面
３２    壁面
３３    看板
【図１】
2009252447.tif 000003
【図２】
2009252447.tif 000004
【図３】
2009252447.tif 000005
【図４】
2009252447.tif 000006
【図５】
2009252447.tif 000007
【図６】
2009252447.tif 000008
【図７】
2009252447.tif 000009
【図８】
2009252447.tif 000010
【図９】
2009252447.tif 000011
【図１０】
2009252447.tif 000012
【図１１】
2009252447.tif 000013